(57)【特許請求の範囲】
【請求項１】
長尺なシート状搬送物（Ｐ）を長手方向に搬送させるための搬送経路が設けられたユニット（３０）に、搬送経路の幅方向に往復動可能な可動体（３７）が設けられ、しかも、該可動体（３７）は、搬送経路の搬送面を挟み込むように対向配置される二枚の板体（４２，４２）を有し、さらに、該二枚の板体（４２，４２）間には、該可動体（３７）の移動に伴ってシート状搬送物（Ｐ）を幅方向に切断するための刃（５１）が配置されてなることを特徴とするシート状搬送物の切断機構。
【請求項２】
前記二つの板体（４２，４２）のうち、搬送経路の上流側端（４２ａ）が、互いに離間してテーパ状に拡開されてなる請求項１記載のシート状搬送物の切断機構。
【請求項３】
前記可動体（３７）を所定位置に維持すべく、前記ユニット（３０）に対する可動体（３７）の往復動を規制する固定手段（４６）が設けられてなる請求項１又は２に記載のシート状搬送物の切断機構。
【請求項４】
長尺なシート状搬送物である感光材料（Ｐ）を長手方向に搬送させるための搬送経路を備えた、少なくとも二以上のユニット（２１，２１，３０）が、互いの搬送経路を連続させて装置本体（１）内に配置されると共に、前記ユニット（２１，２１，３０）の少なくとも一つが、装置本体（１）から搬送経路の幅方向に引き出し可能に構成された写真処理装置において、前記引き出し可能なユニット（３０）に、搬送経路の幅方向に往復動可能な可動体（３７）が設けられ、しかも、該可動体（３７）は、搬送経路の搬送面を挟み込むように対向配置される二枚の板体（４２，４２）を有し、さらに、該二枚の板体（４２，４２）間には、該可動体（３７）の移動に伴ってシート状搬送物（Ｐ）を幅方向に切断するための刃（５１）が配置されてなることを特徴とする写真処理装置。
【請求項５】
長尺なシート状搬送物である感光材料（Ｐ）をロール状にして収容した、少なくとも二以上のマガジン（２１，…）と、各マガジン（２１）の供給口（２３）に連絡して下流側で一本に合流される搬送経路に、少なくとも二以上の感光材料（Ｐ，…）の何れかを選択的に搬送させる搬送ユニット（３０）とが、装置本体（１）内に配置されると共に、前記マガジン（２１，…）と前記搬送ユニット（３０）とが、装置本体（１）から搬送経路の幅方向に引き出し可能に構成された写真処理装置において、前記搬送ユニット（３０）であって、各マガジン（２１）の供給口（２３）と対向する部位に、搬送経路の幅方向に往復動可能な可動体（３７）が設けられ、しかも、各可動体（３７）は、搬送経路の搬送面を挟み込むように対向配置され且つ各マガジン（２１）の供給口（２３）と対向配置される二枚の板体（４２，４２）を有し、さらに、各二枚の板体（４２，４２）間には、該可動体（３７）の移動に伴って感光材料（Ｐ）を幅方向に切断するための刃（５１）が配置されてなることを特徴とする写真処理装置。
【請求項６】
前記二つの板体（４２，４２）のうち、マガジン（２１）の供給口（２３）側の端縁部（４２ａ）が、互いに離間してテーパ状に拡開されてなる請求項５記載の写真処理装置。
【発明の詳細な説明】
【０００１】
【発明の属する技術分野】
本発明は、ユニットの搬送経路に搬送される長尺なシート状搬送物を幅方向に切断するためのシート状搬送物の切断機構およびこれを用いた写真処理装置に関するものである。
【０００２】
【従来の技術】
従来より、写真処理装置、印刷装置等、長尺なシート状搬送物を取り扱う装置は、それぞれ処理内容の異なる複数の処理ユニットと、それぞれのユニットを連絡するように配置された搬送ユニットとを備えており、シート状搬送物を搬送ユニットによって搬送させる間、それぞれの処理ユニットにてシート状搬送物に所定の処理を施し、しかる後、搬送ユニットの最下流側からシート状搬送物を結果物として取り出す構成が採用されている。
【０００３】
この場合、写真処理装置を例にとって概略を述べると、マガジンから長尺なシート状搬送物であるロール状の感光材料を引き出し、所定長さに切断してから露光処理ユニットで露光処理を施し、現像処理ユニットで現像処理を施した後、乾燥ユニットで乾燥処理して写真を得るものであり、感光材料の搬送を担う搬送ユニットは、マガジンから露光処理ユニット、現像処理ユニット、乾燥処理ユニットを連絡するように配置されている。
【０００４】
ところで、これら、露光処理ユニット、現像処理ユニット、乾燥処理ユニット、搬送ユニット等の各ユニットは、組立・分解の容易化の観点から、それぞれが機構的に独立した構成にされている。特に、搬送ユニットにあっては、装置本体内の至る領域に配置されるものであるため、複数のユニットに分割されている。そして、一部のユニットは、メンテナンス性向上の観点から、装置本体から引き出し可能となっている。
【０００５】
【発明が解決しようとする課題】
しかしながら、従来の構成によれば、搬送中の不具合によりシート状搬送物が搬送経路上で詰まって停止した場合、まず、ハサミやカッターナイフ等を用いて手を装置本体内に突っ込んで各ユニット間に所在する停止したシート状搬送物を切断した後、移動規制が解除されたユニットを引き出し、このユニット内に残るシート状搬送物の片を取り除くという極めて煩雑な作業を行なっていた。かかる作業は、装置本体内の限られた狭い空間での作業となり、作業性が悪く、時間がかかると共に、刃物等を扱うために危険性を伴うものであった。
【０００６】
そこで、本発明は、上記従来技術に係る問題を解決するためになされたものであって、搬送されるシート状搬送物が搬送経路上で詰まって停止した場合であっても、迅速且つ容易に対処することができるシート状搬送物の切断機構および写真処理装置を提供することを課題とする。
【０００７】
【課題を解決するための手段】
すなわち、上記課題を解決するための本発明に係るシート状搬送物の切断機構は、長尺なシート状搬送物Ｐを長手方向に搬送させるための搬送経路が設けられたユニット３０に、搬送経路の幅方向に往復動可能な可動体３７が設けられ、しかも、該可動体３７には、該可動体３７の移動に伴ってシート状搬送物Ｐを幅方向に切断するための刃５１が備えられてなることを特徴とする。
【０００８】
上記構成からなるシート状搬送物の切断機構によれば、可動体３７をユニット３０に対して相対移動させることで、可動体３７に取付けられた刃５１は、搬送経路を横切るように移動することとなる。従って、シート状搬送物が搬送経路上に所在し且つ停止している状態においては、可動体３７の移動によってシート状搬送物が幅方向に切断されることとなる。
【０００９】
また、本発明に係るシート状搬送物の切断機構は、可動体３７が、搬送経路の搬送面を挟み込むように対向配置される二枚の板体４２，４２を有し、前記刃５１が、二枚の板体４２，４２間に配置されている。かかる構成からなるシート状搬送物の切断機構によれば、対向配置された二枚の板体４２，４２の間をシート状搬送物が通過するものであり、搬送経路上でシート状搬送物が詰まって停止した際、可動体３７を移動させれば、二枚の板体４２，４２間に配置された刃５１が搬送経路を横切り、詰まったシート状搬送物の切断を行なう。
【００１０】
さらに、本発明に係るシート状搬送物の切断機構は、請求項２記載の如く、二つの板体４２，４２のうち、搬送経路の上流側端４２ａが、互いに離間してテーパ状に拡開されてなる構成を採用するのがより好ましい。かかる構成からなるシート状搬送物の切断機構によれば、搬送されるシート状搬送物の先端がわずかにカールしている場合であっても、上流側から搬送されてくるシート状搬送物は、板体４２，４２のテーパ面に当接して自然と二枚の板体４２，４２間に誘導されることとなるので、シート状搬送物の搬送性が阻害されることはない。
【００１１】
また、本発明に係るシート状搬送物の切断機構は、請求項３記載の如く、可動体３７を所定位置に維持すべく、前記ユニット３０に対する可動体３７の往復動を規制する固定手段４６が設けられてなる構成を採用するのが好ましい。かかる構成からなるシート状搬送物の切断機構によれば、可動体３７が不用意に移動することはなくなり、シート状搬送物の搬送性は阻害されない。
【００１２】
さらに、本発明に係る写真処理装置は、請求項４記載の如く、長尺なシート状搬送物である感光材料Ｐを長手方向に搬送させるための搬送経路を備えた、少なくとも二以上のユニット２１，２１，３０が、互いの搬送経路を連続させて装置本体１内に配置されると共に、前記ユニット２１，２１，３０の少なくとも一つが、装置本体１から搬送経路の幅方向に引き出し可能に構成された写真処理装置において、前記引き出し可能なユニット３０に、搬送経路の幅方向に往復動可能な可動体３７が設けられ、しかも、該可動体３７は、搬送経路の搬送面を挟み込むように対向配置される二枚の板体４２，４２を有し、さらに、該二枚の板体４２，４２間には、該可動体３７の移動に伴ってシート状搬送物Ｐを幅方向に切断するための刃５１が配置されてなることを特徴とするものである。
【００１３】
上記構成からなる請求項４記載の写真処理装置によれば、感光材料Ｐの詰まりが生じた際、可動体３７を感光材料Ｐの幅方向に移動させることによって、ハサミ等を用いて装置本体１内に手を突っ込むようなことをしなくとも、感光材料Ｐを簡単に切断することができる。従って、二つのユニット間に跨がった状態で停止し、該二つのユニットの相対移動を阻止する詰まった感光材料Ｐが切断されることで、各ユニットを装置本体１から引き出すことができ、引き出したユニットからは、切断した感光材料Ｐを迅速且つ容易に除去することができる。
【００１４】
また、本発明に係る写真処理装置は、請求項５記載の如く、長尺なシート状搬送物である感光材料Ｐをロール状にして収容した、少なくとも二以上のマガジン２１，…と、各マガジン２１の供給口２３に連絡して下流側で一本に合流される搬送経路に、少なくとも二以上の感光材料Ｐ，…の何れかを選択的に搬送させる搬送ユニット３０とが、装置本体１内に配置されると共に、前記マガジン２１，…と前記搬送ユニット３０とが、装置本体１から搬送経路の幅方向に引き出し可能に構成された写真処理装置において、前記搬送ユニット３０であって、各マガジン２１の供給口２３と対向する部位に、搬送経路の幅方向に往復動可能な可動体３７がそれぞれ設けられ、しかも、各可動体３７は、搬送経路の搬送面を挟み込むように対向配置され且つ各マガジン２１の供給口２３と対向配置される二枚の板体４２，４２を有し、さらに、各二枚の板体４２，４２間には、該可動体３７の移動に伴って感光材料Ｐを幅方向に切断するための刃５１が配置されてなることを特徴とする。
【００１５】
上記構成からなる請求項５記載の写真処理装置によれば、マガジン２１から搬送ユニット３０に感光材料Ｐが移行する際に紙詰まりが生じた時は、まず、ユニット３０の可動体３７を手前に引き出す。そして、ユニット３０とマガジン２１とに跨がる感光材料Ｐが切断されたならば、装置本体１からユニット３０を引き出す。そして、装置本体１から引き出された状態のユニット３０から、ユニット３０内に残る切断された感光材料Ｐのシートを取り除くのである。
【００１６】
【発明の実施の形態】
以下、本発明の一実施形態を図面を参酌しつつ説明する。
【００１７】
図１は、本実施形態に係る写真処理装置の概略斜視図を示したものである。本実施形態に係る写真処理装置の装置本体１は、ロール状に巻回された感光材料（シート状搬送物）を所定の大きさに切断し、フィルム上の画像を拡大投影して感光材料を露光処理する露光処理部２と、露光処理された感光材料を現像処理する現像処理部８と、現像処理された感光材料を乾燥処理する乾燥処理ユニット９と、乾燥処理された感光材料をオーダー毎に仕分け処理する仕分け処理ユニット１１等とを用いて構成されている。
【００１８】
露光処理部２は、露光ステージに位置決めされた感光材料の露光処理を行う露光処理ユニット、およびマガジンから感光材料を適宜引き出して露光ステージに搬送する搬送ユニット等をカバー２ａ内に備えている。そして、露光ステージに位置決めされた感光材料に対して直交する方向には、レンズユニットが配されており、光源部３から発せられた光がミラートンネル４内で反射され、フィルムマスク５にセットされたフィルム上の画像を通り、レンズユニットに投射されるように構成されている。また、露光処理部２の上部には、スキャナーユニットにより撮像されたフィルムの画像を表示させるためのモニタ６が搭載されている。
【００１９】
現像処理部８は、露光処理された感光材料を現像、漂白、定着、および安定化処理するものであり、外部からの迷光による感光を防止するため、その内部は暗室になっている。また、現像処理部８内には、現像処理ユニットとして、現像処理タンク、定着処理タンク、および安定化処理タンクが感光材料の搬送方向に従って順に配列されており、各処理タンク内を順に感光材料を所定速度で搬送するために、搬送ローラや搬送ベルト等からなる搬送ユニットが設けられている。
【００２０】
乾燥処理ユニット９は、現像処理された感光材料の乾燥を行なうものであり、その内部には、搬送される感光材料に対して温風を吹き付けるためのブロアが配されている。乾燥ユニット９の上部は、装置から上方に突出した態様となっていて、乾燥された感光材料は、その装置上部の排出口１０を介して外部に排出されるように構成されている。
【００２１】
仕分け処理ユニット１１は、排出口１０を介して外部に排出された感光材料を、装置内での感光材料の搬送方向に対して略直交するＸ方向に搬送する第一搬送ユニット１２と、該第一搬送ユニット１２の下流側端部１２ａの近傍に配され、第一搬送ユニット１２により搬出された感光材料を、装置内での感光材料の搬送方向に対して略平行するＹ方向に搬送する第二搬送ユニット１６と、該第二搬送ユニット１６を挟んで第一搬送ユニット１２と対向する当板１９等とを用いて構成されている。当板１９は、装置本体１に固着された板体であって、第一搬送ユニット１２の下流側端１２ａから飛び出した感光材料を当接係止してその手前の第二搬送ユニット１６上に落とすためのものである。
【００２２】
図２は、図１で示した写真処理装置における露光処理部２内部の概略断面図を示したものであり、図３は、図１で示した写真処理装置における露光処理部２内部の概略斜視図を示したものであり、それぞれ具体的には、カバー２ａを開放した状態における各構成要素の配置および断面図を示したものである。本実施形態に係る露光処理部２には、感光材料Ｐを供給する感光材料供給手段と、供給された感光材料Ｐを露光ステージ（図示せず）に搬送する第二搬送ユニット（搬送ユニット）４０等とが設けられている。
【００２３】
前記感光材料供給手段は、感光材料Ｐがロール状に巻回されたマガジン２１（第一のマガジン２１Ａ，第二のマガジン２１Ｂ）と、適宜各マガジン２１から感光材料Ｐを長手方向に引き出して、下流側である第二搬送ユニット４０に搬送させる第一搬送ユニット（搬送ユニット）３０とを用いて構成されている。
【００２４】
前記マガジン２１内には、上述したようにロール状に巻回された感光材料Ｐと、ロールから巻き戻された感光材料Ｐを挟持して搬送させる一対のマガジン内ローラ２２，２２とが配設され、さらに、箱型に形成されたマガジン２１の一角部には、感光材料Ｐを外部に排出するための供給口２３（マガジン内ローラ２２の後流側の開口部）が設けられている。
【００２５】
前記第一搬送ユニット３０は、装置本体１から感光材料Ｐの搬送経路の幅方向に引き出し可能に収容されている。すなわち、装置本体１内に、複数の固定レール２７が設けられており、第一搬送ユニット３０には、固定レール２７の形状および設置位置に対応するように、複数の第一のスライドレール２８および第二のスライドレール２９が設けられている（図３においては、固定レール２７、第一のスライドレール２８、および第二のスライドレール２９を一組だけ記載している）。そして、第一のスライドレール２８は第一搬送ユニット３０の側面等に固着して取付けられており、該第一のスライドレール２８の内面を沿うように第二のスライドレール２９が嵌装されている。そして、固定レール２７に沿って、第一のスライドレール２８および第二のスライドレール２９をスライドさせることによって、第一搬送ユニット３０が装置本体１の内外にスライドし得るように構成されている。
【００２６】
また、第一搬送ユニット３０内には、アドバンスローラ３１および圧着ローラ３２を有する搬送ローラ部と、感光材料Ｐを幅方向で切断するカッタ３３と、アドバンスローラ３１からカッタ３３に供給される感光材料Ｐを案内するガイドローラ３４と、アドバンスローラ３１からガイドローラ３４に対して感光材料Ｐを案内するガイド部としてのガイド板３５等とが設けられている。
【００２７】
搬送ローラ部を具体的に説明すると、マガジン２１Ａ，２１Ｂ内の感光材料Ｐを所定長さ引き出すべく構成されたアドバンスローラ３１（第一のアドバンスローラ３１Ａ，第二のアドバンスローラ３１Ｂ）と、このアドバンスローラ３１Ａ，３１Ｂとの間で感光材料Ｐを挟持して搬送すべく構成された圧着ローラ３２（第一の圧着ローラ３２Ａ，第二の圧着ローラ３２Ｂ）とが設けられている。
【００２８】
また、この第一搬送ユニット３０においては、露光処理部２のカバー２ａ内のスペースを有効に利用するために、二つの搬送ローラ部が近接して設けられている。そして、各マガジン２１に対応するそれぞれの搬送ローラ部が、マガジン２１の供給口２３に相対すべく設けられている。
【００２９】
すなわち、本実施形態においては、搬送ローラ部の搬送方向等にマガジン２１からの感光材料Ｐの供給方向を対応させて、第一搬送ユニット３０の周辺に複数のマガジン２１が設けられている。本実施形態によれば、第一のマガジン２１Ａからは、略水平方向に感光材料Ｐが供給され、第二のマガジン２１Ｂからは、略垂直方向に感光材料Ｐが供給されている。
【００３０】
また、図２において、マガジン２１Ａ，２１Ｂ内および第二搬送ユニット４０内に記載された矢印は、感光材料Ｐの搬送方向を示している。第一搬送ユニット３０には、各マガジン２１の供給口２３に連絡して下流側（点Ｏ）にて一本に合流し、写真処理のための感光材料Ｐの搬送経路の一部を構成する搬送経路Ｑが設けられており、各感光材料Ｐは、アドバンスローラ３１と圧着ローラ３２との間、ガイド板３５、およびガイドローラ３４等を介して、第二搬送ユニット４０に搬送され、上述したように、第二搬送ユニット４０から露光ステージへ搬送される。
【００３１】
図４は、図２における第一搬送ユニット３０の拡大図を示したものである。各アドバンスローラ３１Ａ，３１Ｂに装着された圧着ローラ３２Ａ，３２Ｂは、それぞれ、第一搬送ユニット３０の何れかの位置に設けられたロック機構たるパチン錠３６（第一のパチン錠３６Ａ、第二のパチン錠３６Ｂ）を用いて、アドバンスローラ３１Ａ，３１Ｂとの間の固定状態が維持されるべく構成されている。本実施形態によれば、アドバンスローラ３１と圧着ローラ３２とが、パチン錠３６でロックされた状態において、アドバンスローラ３１と圧着ローラ３２との間を感光材料Ｐが適当に搬送され得るように構成されている。ここで、パチン錠３６は、例えば、第一搬送ユニット３０の最前側（カバー２ａ側）であって、アドバンスローラ３１等の駆動部の邪魔にならない位置に設けられている。
【００３２】
第一のマガジン２１Ａ側から供給される感光材料Ｐは、第一の入口ガイド部３７Ａから、アドバンスローラ３１Ａと圧着ローラ３２Ａとの間隙部を経て、第一のアドバンスローラ側ガイド部３８Ａとガイド板３５の第一ガイド部３５ａおよびガイドローラ３４との間隙部に至る第一の副搬送経路Ｑ１  を介し、しかる後、カッタ前ガイド部３９内を通る搬送経路Ｑを介して、カッタ３３以降の搬送経路を搬送される。
【００３３】
この第一のマガジン２１Ａから供給された感光材料Ｐは、第一のアドバンスローラ３１Ａの回転数（パルス信号）に基づいて、その供給量（供給長さ）が把握される。そして、その供給量に関する信号に基づいて、カッタ３３が作動し、感光材料Ｐが適当な長さに切断される。
【００３４】
第二のマガジン２１Ｂ側から供給される感光材料Ｐは、第二の入口ガイド部３７Ｂから、アドバンスローラ３１Ｂと圧着ローラ３２Ｂとの間隙部、第二のアドバンスローラ側ガイド部３８Ｂとガイド板３５の第二ガイド部３５ｂとの間隙部を経て、第一のアドバンスローラ側ガイド部３８Ａとガイドローラ３４との間隙部に至る第二の副搬送経路Ｑ２  を介し、しかる後、前記第一の副搬送経路Ｑ１  と合流した搬送経路Ｑを介して、カッタ３３以降の搬送経路を搬送される。
【００３５】
この第二のマガジン２１Ｂから供給された感光材料Ｐは、第二のアドバンスローラ３１Ｂの回転数（パルス信号）に基づいてその供給量（供給長さ）が把握される。そして、第一のマガジン２１Ａから供給される感光材料Ｐと同様に、その供給量に関する信号（第二のアドバンスローラ３１Ｂからの信号）に基づいてカッタ３３が作動し、第二のマガジン２１Ｂから供給された感光材料Ｐが適当な長さに切断される。
【００３６】
また、図５は、図３における入口ガイド部３７の平面図、断面図、およびその一部の側面図を示したものである。入口ガイド部３７は、搬送経路Ｑを挟み込むように対向配置される二枚の長方形状の板体４２，４２で構成されており、二枚の板体４２，４２が所定間隔を有して平行且つ横長に配置されると共に、マガジン２１の供給口２３側の端縁部４２ａ、すなわち、搬送経路Ｑの上流側端４２ａが、互いに離間してテーパ状に拡開されている。
【００３７】
そして、二枚の板体４２，４２は、上流側端４２ａの幅方向寸法が感光材料Ｐの幅寸法Ｌよりも長くなるように設定されており、二枚の板体４２，４２間であって、各入口ガイド部３７Ａ，３７Ｂの長手方向奥側（カバー２ａから装置内部方向）には、平板状の刃５１が二枚の板体４２，４２に跨がって取付けられている。この刃は、例えば、カッター用の刃等が採用され、そのエッジ５１ａは、搬送経路Ｑの幅方向に対して斜めに形成されたものがより好ましい。
【００３８】
また、第一搬送ユニット３０には、固定レール４４が設けられており、入口ガイド部３７には、固定レール４４の形状および設置位置に対応するように、スライドレール４５が設けられている。そして、スライドレール４５は一方の板体４２の側面に固着して取付けられており、該スライドレール４５の内面を沿うように固定レール４４が嵌装されている。そして、固定レール４４に沿って、スライドレール４５をスライドさせることによって、入口ガイド部３７が第一搬送ユニット３０に対してスライドし得るように構成されている。この入口ガイド部３７は、感光材料Ｐの幅方向、すなわち、搬送経路Ｑの幅方向に往復動が可能な可動体として用いられる。尚、一方の板体４２の手前側端は、略直角（略Ｌ字状）に屈曲されて、把持部４２ｂとなっている。
【００３９】
そして、入口ガイド部３７を所定位置（各入口ガイド部３７Ａ，３７Ｂ内に感光材料Ｐが搬送させる通常運転時位置、すなわち、入口ガイド部３７Ａ，３７Ｂを装置本体１の奥側に押し込んだ位置）に維持すべく、第一搬送ユニット３０に対する入口ガイド部３７の往復動を規制する固定手段４６が設けられている。
【００４０】
この固定手段４６は、いわゆるローラーキャッチャーと呼ばれるもので、可動な入口ガイド部３７の奥側端部には、膨大した頭部を持つ係入突起４７が固着される一方、第一搬送ユニット３０には、所定間隔を有して平行に配置された円柱状のピン４８，４８に可撓性のある平面視略Ｕ字状の連結部材４９が固着された係止体５０が固着されている。そこで、入口ガイド部３７を装置本体１の奥側に押し入れると、係入突起４７の頭部が、二つのピン４８，４８間に挿入し、二つのピン４８，４８を拡開させながら該二つのピン４８，４８間を通過した後、係入突起４７の頭部が完全に挿入されると、二つのピン４８，４８間に係合突起４７の首部が位置し、該二つのピン４８，４８間は再び狭められた状態となる。従って、係合突起４７の頭部の基端側が、二つのピン４８，４８に係止された状態となり、入口ガイド部３７の往復動が規制される。
【００４１】
前記刃５１Ａ，５１Ｂは、入口ガイド部３７Ａ，３７Ｂの往復動が規制された状態（通常運転状態）において、感光材料Ｐと接することのない位置に設けられている。従って、通常は、搬送される感光材料Ｐが刃５１Ａ，５１Ｂと干渉することはなく、しかも、入口ガイド部３７Ａ，３７Ｂをスライドさせることによって、刃５１Ａ，５１Ｂによる感光材料Ｐの切断を行うことができる。
【００４２】
また、本実施形態に係る第一搬送ユニット３０においては、各圧着ローラ３２Ａ，３２Ｂは、それぞれローラホルダ５２（第一のローラホルダ５２Ａ，第二のローラホルダ５２Ｂ）を用いて保持され、各圧着ローラ３２Ａ，３２Ｂと、それぞれに対応するローラホルダ５２Ａ，５２Ｂとは、一体的に構成されている。
【００４３】
さらに、ガイド板３５は、その第一のガイド部３５ａが第一のアドバンスローラ３１Ａおよび第一のアドバンスローラ側ガイド部３８Ａとの間で感光材料Ｐを適当に挟持し、その第二のガイド部３５ｂが第二のアドバンスローラ側ガイド部３８Ｂとの間で感光材料Ｐを適当に挟持するように、第一のローラホルダ５２Ａに固着されている。
【００４４】
また、このローラホルダ５２Ａ，５２Ｂは、第一搬送ユニット３０の所定箇所にピン状の支持部５３（第一の支持部５３Ａ，第二の支持部５３Ｂ）を用いて支持され、さらに、ローラホルダ５２Ａ，５２Ｂは、支持部５３Ａ，５３Ｂを中心として回動可能であるように構成されている。したがって、本実施形態においては、第一のローラホルダ５２Ａで保持された第一の圧着ローラ３２Ａとガイド板３５とが、第一のローラホルダ５２Ａと共に第一の支持部５３Ａを中心として回動し、第二のローラホルダ５２Ｂで保持された第二の圧着ローラ３２Ｂが、第二のローラホルダ５２Ｂと共に第二の支持部５３Ｂを中心として回動すべく構成されている。
【００４５】
図６は、図４に示した第一搬送ユニット３０において、圧着ローラ３２をアドバンスローラ３１から離脱させた状態の概略図を示したものである。ここで、「離脱させた状態」とは、第一搬送ユニット３０から圧着ローラ３２を完全に取り外すことなく（支持部５３で支持された状態で）、アドバンスローラ３１近傍のメンテナンス処理等を適切に行うことができるように、圧着ローラ３２をアドバンスローラ３１から離間させた状態をいう。
【００４６】
図６においては、上述した機構に基づいて、第一のローラホルダ５２Ａを第一の支持部５３Ａを中心に矢印Ａの方向に回転させることによって、第一のアドバンスローラ３１Ａと第一の圧着ローラ３２Ａとの装着状態を解除し、第一の圧着ローラ３２Ａおよびガイド板３５を離脱させることができる。また、第二のローラホルダ５２Ｂを第二の支持部５３Ｂを中心に矢印Ｂの方向に回転させることによって、第二のアドバンスローラ３１Ｂと第二の圧着ローラ３２Ｂとの装着状態を解除し、第二の圧着ローラ３２Ｂを離脱させることができる。
【００４７】
すなわち、図１〜図６に示した本実施形態に係る写真処理装置においては、通常（装置稼働時等）は、アドバンスローラ３１Ａ，３１Ｂに対して、支持部５３Ａ，５３Ｂを中心に回動して装着された圧着ローラ３２Ａ，３２Ｂおよびガイド板３５は、ローラホルダ５２Ａ，５２Ｂをパチン錠３６Ａ，３６Ｂで固定することによって、それぞれ装置内で適切に固定される。そして、このような状態において、感光材料Ｐが適当に供給されて、露光処理および現像処理等の写真処理が行われる。
【００４８】
また、図７（イ）に示す如く、紙詰まりが発生して感光材料Ｐが搬送経路上で停止した場合には、把持部４２ｂを持って入口ガイド部３７を手前に引き出す。さすれば、入口ガイド部３７の移動に伴って刃５１が感光材料Ｐを切断しながら搬送経路の幅方向に移動し（図７（ロ））、しかる後、刃５１が感光材料Ｐを完全に切断してから搬送経路を横切る（図７（ハ））。従って、入口ガイド部３７を手前に引くだけで感光材料Ｐを切断することができるのである。
【００４９】
そして、感光材料Ｐが切断されれば、第一搬送ユニット３０は装置本体１から引き出しが可能となる。そこで、引き出した第一搬送ユニット３０に対して、ローラホルダ５２等を固定しているパチン錠３６の固定状態を解除し、ローラホルダ５２を回転させて、アドバンスローラ３１から圧着ローラ３２およびガイド板３５を離脱させる。そして、アドバンスローラ３１を手動で回して第一搬送ユニット３０内に残存する感光材料Ｐの紙片を外部に排出させるのである。
【００５０】
本実施形態に係る写真処理装置は以上の如くであるので、以下のような効果を得ることができる。
まず、上記実施形態によれば、マガジン２１から搬送ユニット３０に感光材料Ｐが移行する際に紙詰まりが生じた時、第一搬送ユニット３０の可動体３７を手前に引き出すのみで、装置本体１内で滞留している感光材料Ｐを極めて簡単に切断することができる。従って、ハサミやカッターナイフ等を用いて装置本体１内に手を突っ込み、滞留している感光材料を切断するような従来の煩雑な作業が無くなり、感光材料Ｐを迅速且つ容易に取り除くことができる。
【００５１】
また、紙詰まりの時にアドバンスローラ３１周辺のメンテナンスを行う場合であっても、圧着ローラ３２を完全に取り外すことなく、アドバンスローラ３１から離脱可能であるので、従来のように、取り外した部品の置き場所等を考慮することなく、ペーパ詰まり等の処理を行うことができる。
【００５２】
なお、本発明は上記実施形態に限定されるものではなく、本発明の要旨を逸脱しない範囲にて変更可能である。
すなわち、上記実施形態においては、シート状搬送物を感光材料とし、シート状搬送物の切断機構を写真処理装置に搭載したものについて説明したが、本発明は写真処理装置のみに限定されず、例えば、印刷装置のように、長尺なシート状搬送物を取り扱う装置の全てを対象とするものである。そして、対象装置が変わることで対象となるシート状搬送物の種類も変わるため、かかる場合、刃の材質、硬度、種類も変える必要がある。
【００５３】
また、本発明に係るシート状搬送物の切断機構は、写真処理装置に搭載する場合であっても、上記実施形態の如く、マガジンと該マガジンに連続する搬送ユニットとの関係にのみ適用されるものではなく、その他のユニットについても適用可能である。例えば、露光処理を終えて現像処理を受けるまでに搬送される搬送経路の距離は比較的長く、写真処理装置によっては、かかる間の搬送経路を機構的に分離された複数の搬送ユニットで担う構成を採用しているものがある。これらは、それぞれが装置本体から引き出し可能な構成となっているので、該箇所にも本発明に係るシート状搬送物の切断機構を採用することができる。
【００５４】
さらに、本発明に係るシート状搬送物の切断機構は、例えば、露光処理ユニットおよび搬送ユニット、現像処理ユニットおよび搬送ユニットについても適用することができる。
【００５５】
また、上記実施形態においては、対向する二枚の平板と該二枚の平板間に配置された刃とから構成される切断機構を採用し、かかる切断機構を感光材料が搬送経路から離脱するのを防止するためのペーパガイド（ガイド手段）としても機能させているが、本発明に係る切断機構は、このようなものである必然性はなく、搬送経路の幅方向に移動可能な可動体をユニットに設け、この可動体に感光材料を切断する刃を取付けた構成であれば、本発明の意図するところである。
【００５６】
さらに、上記請求項１記載の発明に係る『ユニット（３０）』とは、写真処理装置の装置本体をも含めた概念であるところ、上記実施形態の如く、可動体は、必ずしも引き出し可能なユニットに設ける必要はなく、従って、可動体（入口ガイド部等）を搬送ユニットから分離して写真処理装置の装置本体に直接設けた構成であってもよい。もちろん、かかる場合でも、可動体は、搬送経路の幅方向に往復動可能にする必要がある。
【００５７】
また、『搬送経路の幅方向』とは、上記実施形態の如く、搬送経路の長手方向に対して直交するものに限定されず、搬送経路の長手方向に対して傾斜するものであってもよい。要は、長尺なシート状搬送物が二分されれば、本発明の意図するところである。
【００５８】
さらに、上記実施形態においては、可動体と刃とを別体の構成にしているが、本発明は、両者が一体なものをも含むものである。
【００５９】
【発明の効果】
本発明に係るシート状搬送物の切断機構は、長尺なシート状搬送物を長手方向に搬送させるための搬送経路が設けられたユニットに、搬送経路の幅方向に往復動可能な可動体が設けられ、しかも、該可動体には、該可動体の移動に伴ってシート状搬送物を幅方向に切断するための刃が備えられてなるため、可動体をユニットに対して相対移動させるだけでシート状搬送物の切断を行なうことができ、搬送経路上でのシート状搬送物の詰まりの問題に対して迅速且つ容易に対処することができる。
【００６０】
また、本発明に係る写真処理装置は、感光材料を搬送させるための搬送経路を備えた、少なくとも二以上のユニットが、互いの搬送経路を連続させて装置本体内に配置されると共に、前記ユニットの少なくとも一つが、装置本体から搬送経路の幅方向に引き出し可能に構成され、該引き出し可能なユニットに、搬送経路の幅方向に往復動可能な可動体が設けられると共に、該可動体には、該可動体の移動に伴って感光材料を幅方向に切断するための刃が備えられてなるため、ハサミやカッターナイフを用いて装置本体内に手を突っ込んで残存した感光材料を切断するようなことをせずとも、該感光材料を簡単に切断することができ、後は、ユニットを引き出してユニット内に残る感光材料の紙片を取り除けばよいだけなので、搬送経路上での感光材料の詰まりに対して迅速且つ容易に対処することができる。
【図面の簡単な説明】
【図１】本発明の実施形態に係る写真処理装置の概略斜視図。
【図２】図１に示した写真処理装置の露光処理部の概略断面図。
【図３】本実施形態に係る第一搬送ユニットを引き出した状態を示す概略斜視図。
【図４】図２に示したペーパ処理部の拡大図。
【図５】本実施形態に係る入口ガイド部であって、（イ）は平面図、（ロ）は（イ）のＡ−Ａ線断面図、（ハ）は（イ）のＢ矢視図。
【図６】図４に示したペーパ処理部において圧着ローラをアドバンスローラから離脱させた状態を示す概略図。
【図７】入口ガイド部の概略斜視図であって、（イ）は感光材料の搬送位置状態、（ロ）は感光材料の一部切断状態、（ハ）は感光材料の全切断状態。
【符号の説明】
１…装置本体、２１…マガジン、２３…供給口、３０…第一搬送ユニット、３７…入口ガイド部（可動体）、４２…板体、４２ａ…上流側端、４６…固定手段、４７…係入突起、５０…係止体、５１…刃、Ｐ…感光材料、Ｑ…搬送経路
【図１】
0003596745.tif 000002
【図２】
0003596745.tif 000003
【図３】
0003596745.tif 000004
【図４】
0003596745.tif 000005
【図５】
0003596745.tif 000006
【図６】
0003596745.tif 000007
【図７】
0003596745.tif 000008